(57)【要約】【課題】タッチパネルを有する表示装置を含む監視制御端末装置を備えたプラント監視制御システムにおいて、監視制御端末装置のユーザインタフェイスの高機能化を図り、タッチパネルによる監視制御操作の簡便化及び効率化を図る。【解決手段】タッチパネル１ａ上のオブジェクト及びその近傍への時間差のある連続した２点以上のタッチをマルチタッチイベント情報として取得し、当該オブジェクトのイベント処理機能によりマルチタッチイベントに対するアクションを実行するようにした。これによりユーザは、各オブジェクトに対する監視制御操作に関連するアクション、例えば映像に関するアクション（映像の録画、再生、カメラの切り替え等）や、音声に関するアクション（音声の録音、出力、異音検出等）、あるいは異常発生に対するコメント記入のようなアクションを容易に実現することが可能である。【選択図】図１
2012088958.tif 000002
【特許請求の範囲】
【請求項１】
プラントを構成する設備及び機器に対して監視制御操作を行う監視制御端末装置を備えたプラント監視制御システムであって、前記監視制御端末装置は、
監視対象であるオブジェクトをシンボル化した描画オブジェクトが表示されたタッチパネルを有する表示装置と、
前記タッチパネル上の描画オブジェクト及びその近傍へのタッチを、タッチ信号として受信するタッチ入力処理機能と、
前記タッチ入力処理機能から時間差のある連続した２点以上のタッチによるタッチ信号を取得し、マルチタッチイベント情報を生成するマルチタッチイベント生成機能と、
オブジェクトのイベント処理機能が実行するマルチタッチイベントに対するアクション定義情報が登録されるとともに、前記マルチタッチイベント生成機能から取得したマルチタッチイベント情報を、１点目のタッチ座標に該当するオブジェクトの前記イベント処理機能に送信するマルチタッチイベント処理連携機能と、
前記マルチタッチイベント処理連携機能及びオブジェクトの描画要求生成機能から要求を受け、前記タッチパネル上に描画を行う表示処理機能を備えたことを特徴とするプラント監視制御システム。
【請求項２】
請求項１に記載のプラント監視制御システムであって、前記マルチタッチイベント処理連携機能は、登録されたオブジェクトのマルチタッチイベントに対するアクション定義情報に基づき、前記表示処理機能に対して、当該オブジェクトのマルチタッチイベントに対するアクションが可能なエリアをオーバーレイ表示するように要求することを特徴とするプラント監視制御システム。
【請求項３】
請求項２に記載のプラント監視制御システムであって、マルチタッチイベントに対するアクションが可能なエリアとして前記タッチパネルの画面全体を利用する場合、前記表示処理機能は、前記タッチパネルの画面全体を囲む外枠を表示することを特徴とするプラント監視制御システム。
【請求項４】
請求項１に記載のプラント監視制御システムであって、前記マルチタッチイベント処理連携機能は、登録されたオブジェクトのマルチタッチイベントに対するアクション定義情報に基づき、前記表示処理機能に対して、当該オブジェクトの描画オブジェクト近傍に、マルチタッチイベントに対するアクションに関連するアイコンをオーバーレイ表示するように要求することを特徴とするプラント監視制御システム。
【請求項５】
請求項４に記載のプラント監視制御システムであって、前記マルチタッチイベント処理連携機能は、当該オブジェクトのマルチタッチイベントに対するアクションが複数定義されている場合、それぞれのアクションに対応したアイコンをオーバーレイ表示するように前記表示処理機能に対して要求することを特徴とするプラント監視制御システム。
【請求項６】
請求項４または請求項５に記載のプラント監視制御システムであって、マルチタッチイベントに対するアクションに関連するアイコンは、アクションの内容を視覚的に表現するものであることを特徴とするプラント監視制御システム。
【発明の詳細な説明】
【技術分野】
【０００１】
本発明は、プラント監視制御システムに関し、特にタッチパネルを有する表示装置を備えた監視制御端末装置のユーザインタフェイスの高機能化に関するものである。
【背景技術】
【０００２】
従来、プラント監視制御システムにおいては、タッチパネルを有する表示装置を備えた監視制御端末装置が用いられている。タッチパネルは、ユーザにより指定された画面上の点の座標値及びその座標値の変化を認識するパネルであり、タッチパネル上にユーザが指や所定の入力装置で触れるだけで予め定義された各種処理を実行させることができるため、多くの情報処理環境において広く適用されている。
【０００３】
例えば特許文献１では、タッチパネルを利用して、ユーザにより指定された表示画面内の複数点の座標値、及び複数点の移動操作による座標値の変化に基づいて情報処理の対象となるデータブロックを選択し、所定の処理を実行する情報処理装置が提示されている。また、近年、複数点の操作を同時に検出する高機能なデバイスも実現されており、携帯端末の分野では、描画オブジェクトの拡大や縮小に複数点を同時タッチするマルチタッチ方式が用いられている。
【先行技術文献】
【特許文献】
【０００４】
【特許文献１】特開２００３−２５６１４２号公報
【発明の概要】
【発明が解決しようとする課題】
【０００５】
しかし、プラント監視制御システムの監視制御端末装置においては、監視対象であるプラント設備及び機器に関連する情報量が増大しているにもかかわらず、タッチパネルの検出能力や計算機の演算性能の都合上、１点のタッチのみ検出するシングルタッチイベントにより操作が行われていた。
【０００６】
このため、従来の監視制御端末装置のタッチパネルでは、監視対象に関連して実行される複数の処理に対応することが難しく、監視制御操作が煩雑となり、操作性、作業効率が低いという問題があった。例えば、プラントの監視カメラの数を増やすことはコスト的に大きな負担にはならないが、これらを監視制御端末装置の監視画面と連携させるインタフェイスはシングルタッチのタッチパネルでは利用し難く、カメラ数の増加に対応することが容易ではなかった。よって、監視制御端末装置のユーザインタフェイスの高機能化が求められていた。
【０００７】
本発明は、上記のような課題を解決するためになされたものであり、タッチパネルを有する表示装置を含む監視制御端末装置を備えたプラント監視制御システムにおいて、監視制御端末装置のユーザインタフェイスの高機能化を図り、タッチパネルによる監視制御操作の簡便化及び効率化を図ることを目的とする。
【課題を解決するための手段】
【０００８】
本発明に係るプラント監視制御システムは、プラントを構成する設備及び機器に対して監視制御操作を行う監視制御端末装置を備えたプラント監視制御システムであって、監視制御端末装置は、監視対象であるオブジェクトをシンボル化した描画オブジェクトが表示されたタッチパネルを有する表示装置と、タッチパネル上の描画オブジェクト及びその近
傍へのタッチを、タッチ信号として受信するタッチ入力処理機能と、タッチ入力処理機能から時間差のある連続した２点以上のタッチによるタッチ信号を取得し、マルチタッチイベント情報を生成するマルチタッチイベント生成機能と、オブジェクトのイベント処理機能が実行するマルチタッチイベントに対するアクション定義情報が登録されるとともに、マルチタッチイベント生成機能から取得したマルチタッチイベント情報を、１点目のタッチ座標に該当するオブジェクトのイベント処理機能に送信するマルチタッチイベント処理連携機能と、マルチタッチイベント処理連携機能及びオブジェクトの描画要求生成機能から要求を受け、タッチパネル上に描画を行う表示処理機能を備えたものである。
【発明の効果】
【０００９】
本発明によれば、タッチパネル上の描画オブジェクト及びその近傍への時間差のある連続した２点以上のタッチによるタッチ信号を、マルチタッチイベント情報として取得し、１点目のタッチ座標に該当するオブジェクトのイベント処理機能に送信して予め定義されたマルチタッチイベントに対するアクションを実行するようにしたので、ユーザは、当該オブジェクトに対する監視制御操作に関連した様々なアクションをタッチパネル上で容易に実行することが可能となり、タッチパネルによる監視制御操作の簡便化及び効率化を図ることができる。
【図面の簡単な説明】
【００１０】
【図１】本発明の実施の形態１に係るプラント監視制御システムの監視制御端末装置において、マルチタッチイベント処理を実現するための機能を示す概略図である。
【図２】本発明の実施の形態１に係る監視制御端末装置のタッチパネルにタッチ操作がなされた場合の処理の流れを示すフローチャート図である。
【図３】本発明の実施の形態１に係る監視制御端末装置のタッチパネルにデタッチ操作がなされた場合の処理の流れを示すフローチャート図である。
【図４】本発明の実施の形態２に係る監視制御端末装置のタッチパネルにタッチ操作がなされた場合の処理の流れを示すフローチャート図である。
【図５】本発明の実施の形態３に係る監視制御端末装置のタッチパネルにタッチ操作がなされた場合の処理の流れを示すフローチャート図である。
【図６】本発明の実施の形態４に係る監視制御端末装置のタッチパネルにタッチ操作がなされた場合の処理の流れを示すフローチャート図である。
【図７】本発明の実施の形態５に係る監視制御端末装置のタッチパネルにタッチ操作がなされた場合の処理の流れを示すフローチャート図である。
【発明を実施するための形態】
【００１１】
実施の形態１．
以下に、本発明の実施の形態１について、図面に基づいて説明する。図１は、本発明の実施の形態１に係るプラント監視制御システムの監視制御端末装置において、マルチタッチイベント処理を実現するための機能を示している。本実施の形態１に係るプラント監視制御システムは、プラントを構成する複数のプラント設備及び機器に対して監視制御操作を行う監視制御端末装置を備えている。
【００１２】
監視制御端末装置の表示装置１は、監視対象であるオブジェクトをシンボル化した描画オブジェクトが表示されたタッチパネル１ａを有している。図１では、タッチパネル１ａ上に描画オブジェクトＡ１０４、描画オブジェクトＢ２０４、及び描画オブジェクトＣ３０４が表示されている。ここでは、例として３つのオブジェクト（関連するデータの集合）を示し、これらのインスタンス（オブジェクトのデータの実体）をオブジェクトＡ１０１、オブジェクトＢ２０１、オブジェクトＣ３０１としている。これらのオブジェクトＡ１０１、オブジェクトＢ２０１、及びオブジェクトＣ３０１はそれぞれ、イベント処理機能１０２、２０２、３０２と、描画要求生成機能１０３、２０３、３０３を有している。
【００１３】
タッチ入力処理機能２は、タッチパネル１ａ上の描画オブジェクト及びその近傍へのタッチを、タッチ信号として受信する機能を有する。本実施の形態１では、ある１点をタッチしてから次の１点をタッチするまでに時間差のあるタッチ信号をマルチタッチとして検出する。なお、マルチタッチ方式として、同時にタッチされた２点を識別するものも知られているが、本発明では時間差のある連続した複数点へのタッチのことをマルチタッチとする。
【００１４】
マルチタッチイベント生成機能３は、タッチ入力処理機能２からのタッチ信号に基づき、シングルタッチイベント情報またはマルチタッチイベント情報を生成する。マルチタッチイベント情報は、タッチ入力処理機能２から時間差のある連続した２点以上のタッチ信号を取得した場合に生成される。
【００１５】
マルチタッチイベント処理連携機能４は、マルチタッチイベント生成機能３から取得したシングルタッチイベント情報及びマルチタッチイベント情報を、タッチ座標に該当するオブジェクトのイベント処理機能（例えばオブジェクトＡ１０１のイベント処理機能１０２）に送信する。マルチタッチイベント生成機能３からマルチタッチイベント情報を取得した場合には、１点目のタッチ座標に該当するオブジェクトのイベント処理機能に送信する。
【００１６】
また、マルチタッチイベント処理連携機能４には、各オブジェクトのイベント処理機能１０２、２０２、３０２が実行するマルチタッチイベントに対するアクション定義情報が登録されている。さらに、マルチタッチイベント処理連携機能４は、表示装置への表示処理機能５（以下、表示処理機能５と略す）に対して、表示装置１への描画要求を行う機能を有する（この機能については実施の形態２〜実施の形態５で説明する）。
【００１７】
表示処理機能５は、マルチタッチイベント処理連携機能４及び各オブジェクトの描画要求生成機能１０３、２０３、３０３から要求を受け、タッチパネル１ａ上に描画を行う機能を有する。
【００１８】
次に、本実施の形態１においてマルチタッチイベントに対するアクション（マルチタッチイベント処理）が実行されるまでの動作について具体例を挙げて説明する。ユーザが、タッチパネル１ａ上の描画オブジェクトＡ１０４に対してタッチした後、次に描画オブジェクトＡ１０４の近傍に２点目のタッチをしたとする。この２点目のタッチを行うエリアは、タッチパネル１ａ上の描画オブジェクトＡ１０４の近傍に予め指定されたエリアであるが、本実施の形態１ではユーザには視認されない状態である。
【００１９】
この時間差のある連続した２点のタッチによるタッチ信号は、タッチ入力処理機能２に受信され、さらにマルチタッチイベント生成機能３においてマルチタッチイベント情報が生成される。このマルチタッチイベント情報は、マルチタッチイベント処理連携機能４に取得され、オブジェクトＡ１０１に対するマルチタッチイベントの発生が認識される。なお、マルチタッチイベント処理連携機能４には、予め各オブジェクトのイベント処理機能１０２、２０２、３０２が実行するマルチタッチイベントに対するアクション定義情報が登録されている。
【００２０】
マルチタッチイベント処理連携機能４は、取得したマルチタッチイベント情報を１点目のタッチ座標に該当するオブジェクトＡ１０１のイベント処理機能１０２に送信する。これを受信したイベント処理機能１０２は、マルチタッチイベントに対する処理として予め定義されたアクションを実行する。
【００２１】
マルチタッチイベントに対するアクションとは、通常のシングルタッチイベントに対するアクションとは異なり、各オブジェクトに対する監視制御操作に関連したもので、映像に関するアクション（映像の録画、再生、カメラの切り替え等）や、音声に関するアクション（音声の録音、出力、異音検出等）、あるいは異常発生に対するコメント記入のようなアクションが想定される。これらのアクションに伴う表示装置１の画面変更は、イベント処理機能１０２から描画要求生成機能１０３経由で表示処理機能５に要求される。
【００２２】
なお、オブジェクトＡ１０１のマルチタッチイベントに対するアクション定義情報がマルチタッチイベント処理連携機能４に登録されている場合、タッチパネル部１ａ上でユーザが例えば描画オブジェクトＡ１０４と描画オブジェクトＢ２０４の近傍を連続してタッチしても、この２点のタッチはオブジェクトＡ１０１に対するマルチタッチイベントの発生として認識されるようになる。すなわち、このマルチタッチイベント情報はオブジェクトＡ１０１のイベント処理機能１０２に伝達され、オブジェクトＢ２０１のイベント処理機能２０２には伝達されない。
【００２３】
図２は、本実施の形態１において、タッチパネル１ａにタッチ操作がなされた場合の処理の流れを示すフローチャートである。まず、ステップ１０１（Ｓ１０１）において、ユーザは、タッチパネル１ａ上の描画オブジェクトにタッチする。続いて、ステップ１０２（Ｓ１０２）において、受信されたタッチ信号がシングルタッチ（タッチ数が１）かどうかを判定する。タッチ数が１であった場合（Ｙｅｓ）、ステップ１０３（Ｓ１０３）に進み、マルチタッチイベント処理連携機能４はタッチ座標にあるオブジェクトを検出し、ステップ１０４（Ｓ１０４）で当該オブジェクトのアクション定義情報を取得する。
【００２４】
さらに、ステップ１０５（Ｓ１０５）において、当該オブジェクトのアクション定義情報がマルチタッチイベント（Ｎｅｘｔタッチ）を持つかどうかを判定し、持たない場合（Ｎｏ）はステップ１０６（Ｓ１０６）に進み、当該オブジェクトのイベント処理機能は、予め定義されたシングルタッチイベントに対するアクションを実行する。
【００２５】
一方、Ｓ１０２において、受信されたタッチ信号のタッチ数が１ではなかった場合（Ｎｏ）、ステップ１１１（Ｓ１１１）に進み、Ｎｅｘｔタッチ待ちフラグがＯＮであるかどうかの確認を行う。なお、Ｎｅｘｔタッチ待ちフラグがＯＮであるということは、そのタッチ座標にあるオブジェクトのマルチタッチイベントに対するアクション定義情報がマルチタッチイベント処理連携機能４に登録されているということである。
【００２６】
Ｓ１１１において、Ｎｅｘｔタッチ待ちフラグがＯＦＦであった場合（Ｎｏ）、マルチタッチイベントではないと判断し、Ｓ１０３に進み、タッチ座標にあるオブジェクトを検出する。また、Ｓ１１１において、Ｎｅｘｔタッチ待ちフラグがＯＮであった場合（Ｙｅｓ）には、マルチタッチイベントであると判断し、ステップ１１２（Ｓ１１２）に進む。Ｓ１１２では、登録されているオブジェクトのＮｅｘｔタッチで実行されるアクション、すなわちマルチタッチイベントに対するアクションを実行する。
【００２７】
なお、オブジェクトのマルチタッチイベントに対するアクション定義情報を登録する場合には、ステップ１２１（Ｓ１２１）でＮｅｘｔタッチ待ちフラグをＯＮにし、ステップ１２２（Ｓ１２２）でマルチタッチイベント処理連携機能４に当該オブジェクトのマルチタッチイベントに対するアクション定義情報を登録する。この操作により、マルチタッチイベント処理連携機能４は、次回から当該オブジェクトのマルチタッチイベントの発生を認識することができる。
【００２８】
また、ユーザは、デタッチ（ｄｅｔａｃｈ）操作により、マルチタッチイベントに対するアクションを実行しないようにすることができる。すなわち、マルチタッチが実行され
る前にデタッチ操作（タッチしている指を離す操作）が発生した場合には、マルチタッチイベント処理連携機能４にある登録が削除され、デタッチ処理が実行される。
【００２９】
図３は、タッチパネル１ａにおいて、登録されたオブジェクトに対するデタッチ操作がなされた場合の処理の流れを示すフローチャートである。まず、ステップ２０１（Ｓ２０１）において、ユーザが、タッチパネル１ａ上の描画オブジェクトをタッチした後、デタッチ操作をすることにより、デタッチが入力される。続いてステップ２０２（Ｓ２０２）において、デタッチ座標に対応するオブジェクトが検出され、ステップ２０３（Ｓ２０３）において、デタッチ座標にあるオブジェクトのＮｅｘｔタッチ待ちフラグがＯＮであるかどうかの確認を行う。
【００３０】
Ｓ２０３において、Ｎｅｘｔタッチ待ちフラグがＯＦＦであった場合（Ｎｏ）、マルチタッチイベントに対するアクション定義情報が登録されていないと判断し、ステップ２０４（Ｓ２０４）に進み、検出したオブジェクトのアクション定義情報を取得し、ステップ２０５（Ｓ２０５）において定義されたデタッチアクションを実行する。また、Ｓ２０３において、Ｎｅｘｔタッチ待ちフラグがＯＮであったった場合（Ｙｅｓ）、マルチタッチイベントに対するアクション定義情報が登録されていると判断し、ステップ２１１（Ｓ２１１）に進み、検出したオブジェクトは登録依頼したオブジェクトかどうかを判断する。検出したオブジェクトが登録依頼したオブジェクトであった場合（Ｙｅｓ）、ステップ２１２（Ｓ２１２）に進み、登録されているオブジェクトを削除する。
【００３１】
また、Ｓ２１１で、検出したオブジェクトが登録依頼したオブジェクトでなかった場合（Ｎｏ）、ステップ２２１（Ｓ２２１）に進み、登録されているオブジェクトが処理すべきデタッチ入力であるかどうかを判断する。登録されているオブジェクトが処理すべきデタッチ入力であった場合（Ｙｅｓ）、ステップ２２２（Ｓ２２２）に進み、登録されているオブジェクトのアクション定義情報を取得し、ステップ２２３（Ｓ２２３）において定義されたデタッチアクションを実行する。また、Ｓ２２１において、登録されているオブジェクトが処理すべきデタッチ入力でなかった場合（Ｎｏ）、Ｓ２０４に進み、検出したオブジェクトのアクション定義情報を取得し、Ｓ２０５において定義されたデタッチアクションを実行する。
【００３２】
なお、本実施の形態１では、例として３つのオブジェクトを示したが、オブジェクトの数は監視画面により異なる。また、本実施の形態１では、時間差のある連続した複数点へのタッチのことをマルチタッチとしているが、タッチパネル１ａ上の描画オブジェクトＡ１０４と描画オブジェクトＣ３０４に対して同時にマルチタッチをすることも可能である。
【００３３】
以上のように、本実施の形態１によれば、タッチパネル１ａ上の描画オブジェクト及びその近傍への時間差のある連続した２点以上のタッチによるタッチ信号を、マルチタッチイベント情報として取得し、１点目のタッチ座標に該当するオブジェクトのイベント処理機能に送信して予め定義されたマルチタッチイベントに対するアクションを実行するようにしたので、ユーザは、当該オブジェクトに対する監視制御操作に関連する様々なアクションをタッチパネル１ａ上で容易に実行することが可能となり、タッチパネル１ａによる監視制御操作の簡便化及び効率化を図ることができる。
【００３４】
これにより、ユーザは、従来のシングルタッチのタッチパネルでは困難であった各オブジェクトに対する監視制御操作に関連するアクション、例えば映像に関するアクション（映像の録画、再生、カメラの切り替え等）や、音声に関するアクション（音声の録音、出力、異音検出等）、あるいは異常発生に対するコメント記入のようなアクションを、マルチタッチイベントに対するアクションとして容易に実現することが可能である。
【００３５】
実施の形態２．
本発明の実施の形態２に係るプラント監視制御システムの監視制御端末装置において、マルチタッチイベント処理を実現するための機能は、上記実施の形態１と同様であるので図１を流用して説明する。
【００３６】
本実施の形態２では、マルチタッチイベント処理連携機能４は、登録された各オブジェクトのマルチタッチイベントに対するアクション定義情報に基づき、表示処理機能５に対して、当該オブジェクトのマルチタッチイベントに対するアクションが可能なエリア（以下これをマルチタッチエリアと呼ぶ）をオーバーレイ表示するように要求する。
【００３７】
マルチタッチイベント処理連携機能４から要求を受けた表示処理機能５は、該当オブジェクトの描画オブジェクト近傍に、マルチタッチエリアをオーバーレイ表示する。これにより、１回目のタッチの次にどのエリアをタッチすると当該オブジェクトに関連したマルチタッチイベント処理が行えるのか明確になる。
【００３８】
図４は、本実施の形態２において、タッチパネル１ａにタッチ操作がなされた場合の処理の流れを示すフローチャートである。なお、図４において、Ｓ１０１〜Ｓ１０６、Ｓ１１１〜Ｓ１１２、Ｓ１２１〜Ｓ１２２は、図２と同様である。オブジェクトのマルチタッチイベント処理に対するアクション定義情報を登録する場合には、上記実施の形態１と同様に、Ｓ１０４で当該オブジェクトのアクション定義情報を取得し、Ｓ１２１でＮｅｘｔタッチ待ちフラグをＯＮにし、Ｓ１２２でマルチタッチイベント処理連携機能４に当該オブジェクトのマルチタッチイベントに対するアクション定義情報を登録する。
【００３９】
さらに、本実施の形態２では、マルチタッチイベント処理連携機能４は、表示処理機能５に対し、タッチパネル１ａ上に、登録されたオブジェクトのマルチタッチエリアをオーバーレイ表示するように要求し、ステップ１２３（Ｓ１２３）において、表示処理機能５は、当該オブジェクトの描画オブジェクト近傍にマルチタッチエリアをオーバーレイ表示する。
【００４０】
また、デタッチ操作が発生した場合には、上記実施の形態１と同様に、マルチタッチイベント処理連携機能４にある登録が削除され、マルチタッチイベント処理連携機能４は、表示処理機能５に対してオーバーレイ表示の消去を要求する。これを受けた表示処理機能５は、マルチタッチエリアのオーバーレイ表示を消去し、デタッチ処理が実行される。
【００４１】
本実施の形態２によれば、上記実施の形態１と同様の効果に加え、マルチタッチエリアをオーバーレイ表示するようにしたので、ユーザによる操作がより簡便となり操作性が向上する。
【００４２】
実施の形態３．
本発明の実施の形態３に係るプラント監視制御システムの監視制御端末装置において、マルチタッチイベント処理を実現するための機能は、上記実施の形態１と同様であるので図１を流用して説明する。
【００４３】
マルチタッチイベント処理連携機能４は、上記実施の形態２と同様に、登録された各オブジェクトのマルチタッチイベントに対するアクション定義情報に基づき、表示処理機能５に対してマルチタッチエリアをオーバーレイ表示するように要求するが、本実施の形態３では、マルチタッチエリアとしてタッチパネル１ａの画面全体を利用する。このような場合、表示処理機能５は、タッチパネル１ａの画面全体を囲む外枠を表示する。
【００４４】
マルチタッチエリアとしてタッチパネル１ａの画面全体を利用するのは、例えば音声を出力する際のボリューム調整のレンジが大きい場合や、ビデオ再生の際にその時間が長い場合等、マルチタッチエリアが広範囲であった方が操作しやすい場合を想定している。
【００４５】
マルチタッチイベント処理連携機能４から要求を受けた表示処理機能５は、該当オブジェクトの描画オブジェクトへの１回目のタッチの後に、画面全体を囲む外枠を表示することにより、画面全体がマルチタッチエリアであることをユーザに示す。これにより、１回目のタッチの次に画面上のどのエリアをタッチしてもマルチタッチイベントとして認識され、当該オブジェクトのイベント処理機能に伝達されるようになる。
【００４６】
図５は、本実施の形態３において、タッチパネル１ａにタッチ操作がなされた場合の処理の流れを示すフローチャートである。なお、図５において、Ｓ１０１〜Ｓ１０６、Ｓ１１１〜Ｓ１１２、Ｓ１２１〜Ｓ１２２は、図２と同様である。オブジェクトのマルチタッチイベント処理に対するアクション定義情報を登録する場合には、上記実施の形態１と同様に、Ｓ１０４で当該オブジェクトのアクション定義情報を取得し、Ｓ１２１でＮｅｘｔタッチ待ちフラグをＯＮにし、Ｓ１２２でマルチタッチイベント処理連携機能４に当該オブジェクトのマルチタッチイベントに対するアクション定義情報を登録する。
【００４７】
さらに、本実施の形態３では、マルチタッチイベント処理連携機能４は、表示処理機能５に対し、タッチパネル１ａ上に、登録されたオブジェクトのマルチタッチエリアをオーバーレイ表示するように要求し、ステップ１２４（Ｓ１２４）において、表示処理機能５は、当該オブジェクトのマルチタッチエリアに応じて画面全体を囲む外枠の描画を実行する。
【００４８】
また、デタッチ操作が発生した場合には、上記実施の形態１と同様に、マルチタッチイベント処理連携機能４にある登録が削除され、マルチタッチイベント処理連携機能４は、表示処理機能５に対してマルチタッチエリアを示す外枠の消去を要求する。これを受けた表示処理機能５は外枠を消去し、デタッチ処理が実行される。
【００４９】
本実施の形態３によれば、上記実施の形態１及び実施の形態２と同様の効果に加え、マルチタッチエリアとしてタッチパネル１ａの画面全体を用いるようにしたので、ユーザは画面全体を利用した細やかな操作が行えるようになり、さらに操作性が向上する。
【００５０】
実施の形態４．
本発明の実施の形態４に係るプラント監視制御システムの監視制御端末装置において、マルチタッチイベント処理を実現するための機能は、上記実施の形態１と同様であるので図１を流用して説明する。
【００５１】
本実施の形態４では、マルチタッチイベント処理連携機能４は、登録された各オブジェクトのマルチタッチイベントに対するアクション定義情報に基づき、表示処理機能５に対して、各オブジェクトの描画オブジェクト近傍に、マルチタッチイベントに対するアクションに関連するアイコンをオーバーレイ表示するように要求する。
【００５２】
マルチタッチイベント処理連携機能４から要求を受けた表示処理機能５は、各オブジェクトの描画オブジェクト近傍に、マルチタッチイベントに対するアクションに関連するアイコンをオーバーレイ表示する。アイコンは、アクションの内容を視覚的に表現するもので、具体的には、ビデオカメラによる映像確認であればビデオカメラのアイコン、赤外線カメラの場合には赤外線カメラのアイコン、マイクによる音声確認であればマイクのアイコン等が設定される。
【００５３】
図６は、本実施の形態４において、タッチパネル１ａにタッチ操作がなされた場合の処理の流れを示すフローチャートである。なお、図６において、Ｓ１０１〜Ｓ１０６、Ｓ１１１〜Ｓ１１２、Ｓ１２１〜Ｓ１２２は、図２と同様である。オブジェクトのマルチタッチイベント処理に対するアクション定義情報を登録する場合には、上記実施の形態１と同様に、Ｓ１０４で当該オブジェクトのアクション定義情報を取得し、Ｓ１２１でＮｅｘｔタッチ待ちフラグをＯＮにし、Ｓ１２２でマルチタッチイベント処理連携機能４に当該オブジェクトのマルチタッチイベントに対するアクション定義を登録する。
【００５４】
さらに、本実施の形態４では、マルチタッチイベント処理連携機能４は、表示処理機能５に対して、タッチパネル１ａ上に、登録されたオブジェクトのマルチタッチイベントに対するアクションに関連するアイコンをオーバーレイ表示するように要求し、ステップ１２５（Ｓ１２５）において、表示処理機能５は、当該オブジェクトの描画オブジェクト近傍に、マルチタッチイベントに対するアクションに関連したアイコンをオーバーレイ表示する。
【００５５】
また、デタッチ操作が発生した場合には、上記実施の形態１と同様に、マルチタッチイベント処理連携機能４にある登録が削除され、マルチタッチイベント処理連携機能４は、表示処理機能５に対してアイコンのオーバーレイ表示の消去を要求する。これを受けた表示処理機能５は、アイコンのオーバーレイ表示を消去し、デタッチ処理が実行される。
【００５６】
本実施の形態４によれば、上記実施の形態１と同様の効果に加え、マルチタッチイベントに対するアクションに関連するアイコンをオーバーレイ表示するようにしたので、ユーザは次にタッチする位置（アイコンの占めるエリア）と、そのタッチにより実行されるアクションの内容を視覚的に判断できるようになり、さらに操作の簡便化及び効率化が図られる。
【００５７】
実施の形態５．
本発明の実施の形態５に係るプラント監視制御システムの監視制御端末装置において、マルチタッチイベント処理を実現するための機能は、上記実施の形態１と同様であるので図１を流用して説明する。
【００５８】
本実施の形態５では、上記実施の形態４と同様に、マルチタッチイベント処理連携機能４は、登録された各オブジェクトのマルチタッチイベントに対するアクション定義情報に基づき、表示処理機能５に対して、各オブジェクトの描画オブジェクト近傍に、マルチタッチイベントに対するアクションに関連するアイコンをオーバーレイ表示するように要求する。ただし、上記実施の形態４では、マルチタッチイベント処理として単一処理を想定しているが、本実施の形態５では複数の処理を想定している。
【００５９】
マルチタッチイベント処理連携機能４は、オブジェクトのマルチタッチイベントに対するアクションが複数定義されている場合、それぞれのアクションに対応したアイコンをオーバーレイ表示するように表示処理機能５に対して要求する。マルチタッチイベント処理連携機能４から要求を受けた表示処理機能５は、当該オブジェクトの描画オブジェクト近傍に、複数のアクションに対応したアイコン（例えばアクションが３つある場合には３つのアイコン）をオーバーレイ表示する。なお、アイコンについては上記実施の形態４と同様であるので説明を省略する。
【００６０】
図７は、本実施の形態５において、タッチパネル１ａにタッチ操作がなされた場合の処理の流れを示すフローチャートである。なお、図７において、Ｓ１０１〜Ｓ１０６、Ｓ１１１〜Ｓ１１２、Ｓ１２１〜Ｓ１２２は、図２と同様である。オブジェクトのマルチタッチイベント処理に対するアクション定義情報を登録する場合には、上記実施の形態１と同
様に、Ｓ１０４で当該オブジェクトのアクション定義情報を取得し、Ｓ１２１でＮｅｘｔタッチ待ちフラグをＯＮにし、Ｓ１２２でマルチタッチイベント処理連携機能４に当該オブジェクトのマルチタッチイベントに対するアクション定義を登録する。
【００６１】
さらに、本実施の形態５では、マルチタッチイベント処理連携機能４は、表示処理機能５に対して、タッチパネル１ａ上に、登録されたオブジェクトのマルチタッチイベントに対するアクションに関連するアイコンをオーバーレイ表示するよう要求し、ステップ１２６（Ｓ１２６）において、表示処理機能５は、当該オブジェクトの描画オブジェクト近傍に、複数のアクションに対応したアイコンをオーバーレイ表示する。
【００６２】
また、デタッチ操作が発生した場合には、上記実施の形態１と同様に、マルチタッチイベント処理連携機能４にある登録が削除され、マルチタッチイベント処理連携機能４は、表示処理機能５に対して複数のアイコンのオーバーレイ表示の消去を要求する。これを受けた表示処理機能５は、アイコンのオーバーレイ表示を消去し、デタッチ処理が実行される。
【００６３】
本実施の形態５によれば、上記実施の形態１及び実施の形態４と同様の効果に加え、マルチタッチイベントに対する複数のアクションに対応するアイコンをオーバーレイ表示するようにしたので、オブジェクトに対するアクションの数が増加した場合にも容易且つ迅速に対応することが可能である。
【産業上の利用可能性】
【００６４】
本発明は、タッチパネルを有する監視制御端末装置を備えたプラント監視制御システムに利用することができる。
【符号の説明】
【００６５】
１  表示装置、１ａ  タッチパネル、２  タッチ入力処理機能、
３  マルチタッチイベント生成機能、４  マルチタッチイベント処理連携機能、
５  表示装置への表示処理機能、１０１  オブジェクトＡ、１０２  イベント処理機能、１０３  描画要求生成機能、１０４  描画オブジェクトＡ、
２０１  オブジェクトＢ、２０２  イベント処理機能、２０３  描画要求生成機能、
２０４  描画オブジェクトＢ、
３０１  オブジェクトＣ、３０２  イベント処理機能、３０３  描画要求生成機能、
３０４  描画オブジェクトＣ。
【図１】
2012088958.tif 000003
【図２】
2012088958.tif 000004
【図３】
2012088958.tif 000005
【図４】
2012088958.tif 000006
【図５】
2012088958.tif 000007
【図６】
2012088958.tif 000008
【図７】
2012088958.tif 000009